【事件の表示】
　特願２００３−３２７８８２号「車両用シート」拒絶査定不服審判事件〔平成１７年　４月　７日出願公開、特開２００５−　８７６０５号〕について、次のとおり審決する。
【結　論】
　本件審判の請求は、成り立たない。
【理　由】
Ｉ．手続の経緯　
　本願は、平成１５年　９月１９日の特許出願であって、平成２０年　９月２６日付けの最後の拒絶理由通知に応答した同年１１月２５日付け手続補正は、同年１２月２４日付けで却下されると共に、同日付けで拒絶査定がなされ、これに対して、平成２１年　２月　４日付けで本件審判請求がなされるとともに、同年　２月２６日付けで手続補正（前置補正）がなされたものである。　
　
II．平成２１年　２月２６日付けの手続補正の却下　
［補正却下の決定の結論］　
　平成２１年　２月２６日付けの手続補正（以下「本件補正」という。）を却下する。
［理由］　
１．補正後の本願発明　
　本件補正により、特許請求の範囲の請求項１は、　
「【請求項１】　
　シートバック内に設けられた左右一対のマッサージ用エアバッグに対するエアの給排制御により、これらのマッサージ用エアバッグの膨張・収縮を繰り返すことで、シート着座者の肩部に対するマッサージを行うことが可能な車両用シートであって、前記の両マッサージ用エアバッグは、左右一対の可動板によってそれぞれ支持され、両可動板は、シートバックのセンター側に位置するそれぞれの端部を支点としてシートバックの前後方向へ回動可能に設けられ、これらの可動板の背面側には、エアの給排制御が可能な調整用エアバッグがそれぞれ配置され、これらの調整用エアバッグ
の背面側に、両可動板のシートバックのセンター側に位置するそれぞれの端部に振動を与えるように一つのバイブレータが設けられ、両調整用エアバッグ
と補正された。　
　上記補正は、補正前の平成２０年　８月２５日付け手続補正書の請求項１に記載されていた発明を特定するために必要な事項である「これらの調整用エアバッグをエアの供給によって膨張させること」を「これらの調整用エアバッグ
の背面側に、両可動板のシートバックのセンター側に位置するそれぞれの端部に振動を与えるように一つのバイブレータが設けられ、両調整用エアバッグ
　そこで、本件補正後の前記請求項１に記載された発明（以下「本願補正発明」という。）が特許出願の際独立して特許を受けることができるものか（平成１８年法律５５号改正附則第３条第１項によりなお従前の例によるとされる同法による改正前の特許法第１７条の２第５項において準用する同法第１２６条第５項の規定に適合するか）について以下に検討する。　
　
２．引用例及びその記載事項　
　原査定の平成２０年　９月２６日付けの拒絶理由で引用された本願の出願前に頒布された刊行物である特開２００３−２５０８４８号公報（以下「引用例１」という。）には、「マッサージ機」に関し、図面とともに以下の事項が記載または示されている。　
　
ａ：「【請求項１】  マッサージ機本体と、
このマッサージ機本体に支持された人体の肩部にマッサージ力を与えるマッサージ子、及び前記肩部の厚み方向所望位置に前記マッサージ子が配置されるように前記マッサージ子の位置を可変する位置調整体を備えるとともに、給排気により膨縮可能でかつ膨張保持状態で人体の頭部を支える枕として機能する枕要素を有して、前記マッサージ機本体に設けられた肩部マッサージ装置と、を具備したマッサージ機。　
【請求項２】  請求項１に記載のマッサージ機において、前記位置調整体が給排気により膨縮可能なエアーバッグで形成されており、このエアーバッグが前記枕要素を兼ねている。」　
　
ｂ：「【０００１】　
【発明の属する技術分野】本発明は、人体の肩部をマッサージする肩部マッサージ装置を備えたマッサージ機に関する。」　
　
ｃ：「【０００７】　
【発明が解決しようとする課題】本発明が解決しようとする課題は、マッサージ子を人体肩部の所望位置に合わせてマッサージできるとともに、使い勝手がよいマッサージ機を得ることにある。」　
　
ｄ：「【００１２】図１及び図２中符号１は例えば椅子式のマッサージ機を示しており、そのマッサージ機本体として機能する椅子本体２は、座部３と、この座部３の後側に配置された背もたれ４と、後部支柱５ａを有して肘掛を兼ねる左右のフレーム５とを備えている。図２（Ｂ）等に示すように一対のフレーム５は、前部横架材６、後部横架材７、及び複数の底部横架材８を介して連結されている。これら各横架材６〜８と両フレーム５とはフレーム体を形成する。
【００１３】図２（Ｂ）に示すように座部３は、前記フレーム体に支持された座部フレーム３ａと、このフレーム３ａ上に取付けられた座部クッション３ｂとを備え、座部クッション３ｂの表面は柔軟性を有した座部カバーで覆われている。背もたれ４は、背部フレーム４ａの前面に比較的硬質な背部ベースクッション４ｂを取付けるとともに、図４〜図６に示すように前面を薄手で柔軟性を有した背部クッション４ｃで覆い、更に前から柔軟性を有した背部カバー４ｄで覆われている。」　
　
ｅ：「【００１７】椅子本体２に着座した人体の肩部ないしは首肩部をマッサージする肩部マッサージ装置１５を、図３〜図７等を参照して説明する。このマッサージ装置１５は、装置フレーム２１に、マッサージユニット２２と、高さ位置調整体例えば１以上、詳しくは２個のエアーバッグ２３と、復帰用ばね２４とを備えている。　
【００１８】装置フレーム２１は背部フレーム４ａの上部に固定されている。この装置フレーム２１は、その両側部に背もたれ４の長手方向言いかえれば着座者の体軸方向に延びる溝状のレール２５を有している。これら一対のレール２５はその長手方向に伸びる開口が互いに向かい合うように設けられている。　
【００１９】マッサージユニット２２は、ユニットベース２６と、肩部マッサージ部２７と、このマッサージ部２７の位置を着座者の厚み方向に可変させるための位置調整体２８とを備えている。ユニットベース２６は、正面壁２６ａ、及び背もたれ４の先端側に位置して正面壁２６ａに略直角に連なった端壁２６ｂを有している。正面壁２６ａは、一対のレール２５の離間寸法より少し短い幅を有した平板で形成されている。ユニットベース２６の左右両側には夫々複数のローラ２９が回転自在に取付けられている。　
【００２０】図３及び図７に示すようにユニットベース２６は、そのローラ２９をレール２５に嵌入させて装置フレーム２１に組合わされている。そのため、マッサージユニット２２のユニットベース２６は、レール２５に沿って着座者の体軸方向に移動可能に設けられている。図４〜図６等に示すように前記組合わせ状態で端壁２６ｂはレール２５を横切るように延びている。
【００２１】肩部マッサージ部２７は、正面壁２６ａの前方に配置されていて、マッサージ子支持板例えば１枚の回動板３１と、この表面に椅子本体２の幅方向に並べて取付けられた一対の肩部用マッサージ子例えばエアーバッグ３２とを有している。図３に示すようにエアーバッグ３２の外周の一部には取付け部３３が一体に突設され、この取付け部３３を通って回動板３１にねじ込まれたねじ等の取付け具３４によって、エアーバッグ３２は片持ちの状態に固定されている。この場合、一対のエアーバッグ３２は、その取付け部３３を互いに接近させて回動板３１に取付けられている。　
【００２２】給排気により膨縮する両エアーバッグ３２の膨縮部分は、平面視円形であり、排気された状態では薄くなるように収縮し（図７の右側部分で代表する。）、給気された状態では略半球状に膨張する（図７の左側部分で代表する。）ように形成されている。しかも、この膨縮部分の頂部３２ａは膨縮部分の中心から取付け部３３に寄せて偏心されていて、それにより、膨縮部分はその頂部３２ａを取付け部３３に次第に寄せながら収縮状態から膨張するようになっている。この場合の頂部３２ａの移動軌跡を図７の左側部分に矢印で示す。したがって、両エアーバッグ３２が同期して膨張する時、それらの頂部３２ａは互いに近づけられる。　
【００２３】回動板３１は、エアーバッグ３２がその背部に向けて膨張することを妨げる壁として機能する。この回動板３１の一側部例えば下側部は一対のヒンジ３５を介して正面壁２６ａに取付けられている。そのため、これらヒンジ３５が有するヒンジ軸を支点として肩部マッサージ部２７は上下方向に回動可能に設けられている。ヒンジ３５にはコイル状のばね３５ａが取付けられている。このばね３５ａによって、回動板３１はその自由端側が正面壁２６ａに近づけられる方向に付勢されている。　
【００２４】位置調整体２８は例えば給排気により膨縮するエアーバッグで形成されている。図４〜図６に示すように位置調整体２８は、その下部を正面壁２６ａと回動板３１との間に位置させて正面壁２６ａに固定して設けられている。位置調整体２８の上部は肩部マッサージ部２７より上方にはみだしている。この位置調整体２８の上部は、枕要素２８ａとして用いられるものであって、図４に示すようにエアーバッグからなる位置調整体２８が収縮した状態でも、又、図５に示すように位置調整体２８が膨張した状態でも肩部マッサージ部２７の上方にはみ出した状態を維持するようにしてある。　
【００２５】このように配置された位置調整体２８には、ばね３５ａの付勢力で回動板３１の裏面が押し付けられている。正面壁２６ａは位置調整体２８がその背部に向けて膨張することを妨げる壁として機能する。したがって、肩部マッサージ部２７は、位置調整体２８が膨張されるに伴ってヒンジ３５を支点に前傾し、位置調整体２８が収縮されるに伴って起立するようにばね３５ａの力で押し戻される。　
【００２６】エアーバッグ２３は、互いに重ね合わされて装置フレーム２１の端壁２１ａとユニットベース２６の端壁２６ｂとの間に挟設されている。前記復帰用ばね２４は、その両端を端壁２１ａ、２６ｂに夫々接続して設けられて、ユニットベース２６を常に端壁２１ａ寄りに付勢している。そのため、エアーバッグ２３が膨張するに従い、復帰用ばね２４の付勢力に抗してマッサージユニット２２がレール２５に沿って押し動かされ、エアーバッグ２３が収縮するに従い復帰用ばね２４の付勢力でマッサージユニット２２が引き動かされる。」　
　
ｆ：「【００３３】電磁弁５５にはエアーチューブ６２を介して高さ調整用の２個のエアーバッグ２３が夫々連通され、電磁弁５６にはエアーチューブ６３を介して位置調整体２８が連通されている。これらの電磁弁５５、５６はいずれも排気ポートを有しており、給気ポジションと、閉止ポジションと、排気ポジションとを選択できる。　
【００３４】電磁弁５５は、吸気ポジションではエアーバッグ２３への給気を許し、閉止ポジションでは流路を閉じてエアーバッグ２３の膨張状態を保持し、排気ポジションではエアーバッグ２３から流出された空気を排気ポートより外部に排出できる。同様に、電磁弁５６は、吸気ポジションでは位置調整体２８への給気を許し、閉止ポジションでは流路を閉じて位置調整体２８の膨張状態を保持し、排気ポジションでは位置調整体２８から流出された空気を排気ポートより外部に排出できる。このように電磁弁５５、５６は、それらに対応するエアーバッグ２３、位置調整体２８の膨張保持要素として使用され、そのため、位置調整体２８及び電磁弁５６は、着座者の厚み方向に関してエアーバッグ３２の位置を可変する位置調整手段を構成している。」　
　
ｇ：「【００４３】前記構成のマッサージ機１を使用するとき、着座者は、はじめにマッサージユニット２２を人体肩部に合わせる調整を行なう。この調整は、マッサージユニット２２を人体肩部に対して接離する方向に移動させる高さ方向調整と、肩部マッサージ部２７を例えば回動させて人体肩部の厚み方向に移動させる厚み方向調整とで行なわれる。」　
　
ｈ：「【００４６】そのため、高さ調整釦７７ａ、７７ｂの少なくとも一方を操作して、マッサージユニット２２を人体肩部に接離する方向に移動させることにより、人体肩部に対してエアーバッグ３２が当たる感触などに基づき、着座者が所望とする高さ位置にマッサージユニット２２を配置できる。図６にエアーバッグ３２を膨張させた状態を例示する。」　
　
ｉ：「【００４９】そのため、厚み方向調整釦７２ａ、７２ｂの少なくとも一方を操作して、肩部マッサージ部２７のエアーバッグ３２を背もたれ４の厚み方向、言いかえれば、人体の厚み方向に無段階に移動させることにより、エアーバッグ３２の頂部３２ａが当たる感触などに基づき、着座者が所望とする厚み方向任意位置にエアーバッグ３２を配置できる。以上のように位置調整体２８の膨張により、肩部マッサージ部２７がヒンジ３５を支点に前に倒れるように回動されて、人体肩部に斜め後上方から覆い被さるように配置された状態を図５に例示する。　
【００５０】以上の両調整状態はいずれも電磁弁５５、５６が閉止ポジションとなることにより保持される。この調整の最終段階として、厚み方向調整釦７２ａ、７２ｂの以上の操作後に、これらの調整釦７２ａ、７２ｂが所定時間操作されなくなると、エアーポンプ５２の運転が開始されてエアー分配装置５４を介して一対のエアーバッグ３２に対する同時給排気が、１回以上、例えば数回繰返して行なわれる。それにより、一対のエアーバッグ３２が膨張して人体肩部にマッサージ力を与えるので、エアーバッグ３２の頂部３２ａによる指圧点が前記両調整状態によって所望の位置になっているかどうかということを体感できる。この体感に基づいて必要がある場合には、以上の調整操作を繰返して人体肩部に対して所望とする指圧が適正に行なわれるように調整をし直せばよい。」　
　
ｊ：図２（Ａ）、図３からみて、「左右一対のエアーバッグ３２」が看て取れる。　
　また、図２（Ｂ）、図３、図４からみて、「背もたれ４内に設けられた左右一対の肩部用マッサージ子としてのエアーバッグ３２」が看て取れる。　
　
　これらの記載事項からみて、上記引用例１には、　
「背もたれ４内に設けられた左右一対の肩部用マッサージ子としてのエアーバッグ３２に対する同時給排気により、これらの肩部用マッサージ子としてのエアーバッグ３２の膨張・収縮が繰返して行われることで、着座者の肩部をマッサージできるマッサージ機であって、前記両肩部用マッサージ子としてのエアーバッグ３２には、左右一対の取付け部３３が設けられ、該取付け部３３が回動板３１に取り付けられ、回動板３１の一端部は一対のヒンジ軸３５を支点として背もたれ４の上下方向に回動可能に設けられ、この可動板３１とユニットベース２６の正面壁２６ａの間には、給排気により膨縮する位置調整体２８としてのエアーバッグが配置され、位置調整体２８としてのエアーバッグを膨張させることにより、回動板３１が下端側の端部を支点として背もたれ４に対して前傾するように構成されているマッサージ機」の発明（以下「引用発明」という。）が記載されているものと認められる。　
　
　原査定の同拒絶理由で引用された本願の出願前に頒布された刊行物である特開２００３−９３４５６号公報（以下「引用例２」という。）には、「エアーマッサージ機」に関し、図面とともに以下の事項が記載または示されている。
　
ｋ：「【０００２】　
【従来の技術】従来より、凝ったりしていてマッサージを必要とする背や肩，腰等の人体の施療部位を揉みほぐして施療するため、図７に示すように、人体の施療部位に直接接触して押圧する施療子１’と該施療子１’の背面側に膨縮自在な空気袋２’を設けて、給排気孔６’より空気袋２’内に空気を充填して空気袋２’を膨張させることで施療子１’を人体の施療部位に対して押圧し、その後で、空気袋２’内に充填した空気を排出して空気袋２’を収縮させることで施療部位を押圧している施療子１’の押圧を解除して、施療子１’の施療部位への押圧―押圧解除を繰返して人体にマッサージ効果を与えるエアーマッサージ機がよく知られている。」　
　
３．発明の対比　
　本願補正発明と引用発明とを対比すると、引用発明の「マッサージ機」は、座るものであることから本願補正発明の「シート」に相当し、以下同様に「背もたれ４」は「シートバック」に、「肩部用マッサージ子としてのエアーバッグ３２」は「マッサージ用エアバッグ」に、「同時給排気により」は「エアの給排制御により」に、「膨張・収縮が繰返して行われること」は「膨張・収縮を繰り返すこと」に、「着座者」は「シート着座者」に、「回動板３１」は「可動板」に、「位置調整体２８としてのエアーバッグ」は「調整用エアバッグ」にそれぞれ相当する。　
　また、引用発明の「着座者の肩部をマッサージできるマッサージ機」は、本願補正発明の「シート着座者の肩部に対するマッサージを行うことが可能なシート」に対応し、本願補正発明の「前記の両マッサージ用エアバッグは、左右一対の可動板によってそれぞれ支持され、両可動板は、シートバックのセンター側に位置するそれぞれの端部を支点としてシートバックの前後方向へ回動可能に設けられ」と、引用発明の「前記両肩部用マッサージ子としてのエアーバッグ３２には、左右一対の取付け部３３が設けられ、該取付け部３３が回動板３１に取り付けられ、回動板３１の一端部は一対のヒンジ軸３５を支点として背もたれ４の上下方向に回動可能に設けられ」とは、「前記の両マッサージ用エアバッグは、可動板によって支持され、可動板は、端部を支点としてシートバックのある方向へ回動可能に設けられ」る限りにおいて共通し、本願補正発明の「これらの可動板の背面側には、エアの給排制御が可能な調整用エアバッグがそれぞれ配置され」と、引用発明の「この可動板３１とユニットベース２６の正面壁２６ａの間には、給排気により膨縮する位置調整体２８としてのエアーバッグが配置され」とは、「可動板の背面側には、エアの給排制御が可能な調整用エアバッグが配置され」る限りにおいて共通し、そして、本願補正発明の「両調整用エアバッグをエアの供給によって膨張させることにより、両可動板がそれぞれのセンター側の端部を支点としてシートバックの前方へ回動し、両マッサージ用エアバッグの間隔が小さくなる方向へ傾斜するように構成されている」と、引用発明の「位置調整体２８としてのエアーバッグを膨張させることにより、回動板３１が下端側の端部を支点として背もたれ４に対して前傾するように構成されている」とは、「調整用エアバッグをエアの供給により膨張させることにより、可動板が端部を支点としてシートバックの前方に回動し、傾斜するように構成されている」限りにおいて共通している。　
　そうすると、両者は、　
「シートバック内に設けられた左右一対のマッサージ用エアバッグに対するエアの給排鏡排制御により、これらのマッサージ用エアバッグの膨張・収縮を繰り返すことで、シート着座者の肩部に対するマッサージを行うことが可能なシートであって、前記の両マッサージ用エアバッグは、可動板によって支持され、可動板は、端部を支点としてシートバックのある方向へ回動可能に設けられ、可動板の背面側には、エアの給排制御が可能な調整用エアバッグが配置され、調整用エアバッグをエアの供給により膨張させることにより、可動板が端部を支点としてシートバックの前方に回動し、傾斜するように構成されているシート」である点で一致し、以下の各点で相違するものと認められる。　
　
＜相違点１＞　
　シート着座者の肩部に対するマッサージを行うことが可能なシートが、本願補正発明では、「車両用シート」であるのに対して、引用発明では、そのような言及はない点。　
　
＜相違点２＞　
　本願補正発明では、両マッサージ用エアバッグは、「左右一対の」可動板によって「それぞれ」支持され、「両」可動板は、「シートバックのセンター側に位置するそれぞれの」端部を支点としてシートバックの「前後」方向へ回動可能に設けられ、「これらの」可動板の背面側には、エアの給排制御が可能な調整用エアバッグが「それぞれ」配置され、「両」調整用エアバッグをエアの供給によって膨張させることにより、「両」可動板が「それぞれのセンター側の」端部を支点としてシートバックの前方へ回動し、「両マッサージ用エアバッグの間隔が小さくなる方向へ」傾斜するように構成されているのに対して、引用発明では、両マッサージ用エアバッグは、可動板によって支持され、可動板は、下端部を支点としてシートバックの上下方向へ回動可能に設けられ、可動板の背面側には、エアの給排制御が可能な調整用エアバッグが配置され、調整用エアバッグをエアの供給により膨張させることにより、可動板が下端部を支点としてシートバックの前方に回動し、傾斜するように構成されているもので、可動板が、「１つ」しかなく、「両マッサージ用エアバッグの間隔が小さくなる方向へ」傾斜するものでなく、調整用エアバッグが「１つ」しかない点。　
　
＜相違点３＞　
　本願補正発明では、「これらの調整用エアバッグの背面側に、両可動板のシートバックのセンター側に位置するそれぞれの端部に振動を与えるように一つのバイブレータが設けられ」ているのに対して、引用発明では、そのような言及がない点。　
　
４．相違点の検討（当審の判断）　
＜相違点１＞について　
　エアバッグの膨張・収縮によるマッサージを行うことが可能な車両用シートは、本願出願前に周知の事項である（必要とあれば、特開２０００−２７９４６７号公報の段落【０００１】を参照のこと）。　
　
＜相違点２＞について　
　上記引用例２には、摘記事項ｋと図７からみて、「人体の肩等のマッサージを行うエアーマッサージ機において、左右一対の施療子１’は、左右一対の可動板によってそれぞれ支持され、両可動板は、シートバックのセンター側に位置するそれぞれの端部を支点としてシートバックの前後方向へ回動可能に設けられ、これらの可動板の背面側には、空気の給排気が可能な空気袋２’がそれぞれ配置され、両空気袋２’を空気を充填して膨張させることにより、両可動板がそれぞれのセンター側の端部を支点としてシートバックの前方へ回動し、両施療子１’の間隔が小さくなる方向へ傾斜するように構成されているエアーマッサージ機」が記載されているものと認められる。　
　そうすると、引用発明にも使用者に合わせてマッサージ部の位置を調節できるという本願補正発明と同様の課題が開示されていることから、マッサージ部の位置をどのように調節するかについては適宜選択できるものであり、そして、上記引用例２には、両可動板を両施療子１’(両マッサージ子)の間隔が小さくなる方向へ移動し得る構成が開示されているから、引用発明に上記引用例２に開示された事項を適用することにより、本願補正発明でいう相違点２の構成とすることは、当業者が容易に想到し得たものである。　
　
＜相違点３＞について　
　エアの給排制御によって膨張・収縮を繰り返すマッサージ用エアバッグを備えたマッサージ機の技術分野において、１つのバイブレータによって、一対ないし複数のマッサージ用エアバッグに振動を与えることは、本願出願前に周知の事項である（必要とあれば、特開２００２−２２４１８０号公報の図４、特開２００１−１７８７９１号公報の図３、特開２００１−１０４４２２号公報の図１０を参照のこと）。
　そうすると、引用発明の左右一対のマッサージ用エアバッグに上記周知の事項を適用して、本願補正発明でいう相違点３の構成とすることは、当業者が容易に想到し得たものである。　
　
　そして、本願補正発明の奏する作用効果について検討してみても、引用発明、上記引用例２に開示された事項、及び、上記周知事項から当業者が予測し得たものであって、格別なものとはいえない。　
　
　したがって、本願補正発明は、引用発明、上記引用例２に開示された事項、及び、上記周知事項に基づいて当業者が容易に発明をすることができたものであるから、特許法第２９条第２項の規定により特許出願の際独立して特許を受けることができない。　
　
５．むすび　
　以上のとおり、本件補正は、平成１８年法律５５号改正附則第３条第１項によりなお従前の例によるとされる同法による改正前の特許法第１７条の２第５項において準用する同法第１２６条第５項の規定に違反するものであり、同法第１５９条第１項で準用する同法第５３条第１項の規定により却下すべきものである。　
　よって、補正却下の決定の結論のとおり決定する。　
　
III．本願発明について　
１．本願発明の記載事項　
　平成２１年　２月２６日付けの手続補正は、上記のとおり却下され、また、平成２０年１１月２５日付け手続補正は、Ｉ．で述べたように審査段階で却下されているので、本願の各請求項に係る発明は、平成２０年　８月２５日付け手続補正書により補正された特許請求の範囲の請求項１〜４に記載された事項により特定されるものと認められるところ、請求項１は次のとおり記載されている。　
「【請求項１】　
　シートバック内に設けられた左右一対のマッサージ用エアバッグに対するエアの給排制御により、これらのマッサージ用エアバッグの膨張・収縮を繰り返すことで、シート着座者の肩部に対するマッサージを行うことが可能な車両用シートであって、前記の両マッサージ用エアバッグは、左右一対の可動板によってそれぞれ支持され、両可動板は、シートバックのセンター側に位置するそれぞれの端部を支点としてシートバックの前後方向へ回動可能に設けられ、これらの可動板の背面側には、エアの給排制御が可能な調整用エアバッグがそれぞれ配置され、これらの調整用エアバッグをエアの供給によって膨張させることにより、両可動板がそれぞれのセンター側の端部を支点としてシートバックの前方へ回動し、両マッサージ用エアバッグの間隔が小さくなる方向へ傾斜するように構成されている車両用シート。」（以下「本願発明」という。）　
　
２．引用例の記載事項　
　原査定の拒絶の理由に引用された引用例及びその記載事項は前記II．２．に記載したとおりである。　
　
３．対比・判断　
　本願発明は、前記II．１．で検討した本願補正発明の「これらの調整用エアバッグ
の背面側に、両可動板のシートバックのセンター側に位置するそれぞれの端部に振動を与えるように一つのバイブレータが設けられ、両調整用エアバッグ
　そうすると、本願発明の構成よりも更に限定した構成を備える本願補正発明が前記II．４．に記載されたとおり、引用発明、上記引用例２に開示された事項、及び、上記周知事項に基づいて、当業者が容易に発明をすることができたものであるから、本願補正発明の上位概念発明である本願発明も本願補正発明と同様の理由で当業者が容易に発明をすることができたものといえる。　
　
４．むすび　
　以上のとおり、本願発明（請求項１に係る発明）は、引用発明、上記引用例２に開示された事項、及び、上記周知事項に基づいて当業者が容易に発明をすることができたものであるから、特許法第２９条第２項の規定により特許を受けることができない。　
　そうすると、このような特許を受けることができない発明を包含する本願は、他の請求項に係る発明について検討するまでもなく、拒絶されるべきものである。　
　よって、結論のとおり審決する。